(57)【要約】【課題】特殊なツール等を用いなくても、長時間、一定の濃度で液体フレグランスを揮散させて適度の香りを持続させることのできる、優れたフレグランス容器と、それに用いることのできる拡散具を提供する。【解決手段】内部に液体フレグランスが収容される容器本体１と、上記容器本体１の開口を蓋する蓋体２とを備え、さらに、毛細管現象により液体フレグランスを下端から上端まで吸い上げることのできる通液路が形成された軸状の吸い上げ棒１５と、上記吸い上げ棒１５の上端に取り付けられる多孔質体１６とで構成された拡散具Ａとを備えている。【選択図】図１
2004073733.tif 000002
【特許請求の範囲】
【請求項１】
内部に液体フレグランスが収容される容器本体と、上記容器本体の開口を蓋する蓋体と、下記の拡散具（Ａ）とを備え、上記蓋体を開き、上記拡散具（Ａ）の吸い上げ棒を容器本体の開口に差し込んで保持することにより、液体フレグランスを周囲に徐々に揮散させることができるようになっていることを特徴とするフレグランス容器。
（Ａ）毛細管現象により液体フレグランスを下端から上端まで吸い上げることのできる通液路が形成された吸い上げ棒と、上記吸い上げ棒の上端に取り付けられる多孔質体とを備え、上記吸い上げ棒から吸い上げられた液体フレグランスが、上記多孔質体から、周囲に徐々に揮散されるようになっている拡散具。
【請求項２】
上記容器本体の開口として、内部に収容した液体フレグランスを注出するための第１の開口と、液体フレグランス注出時の通気のための第２の開口とが設けられており、上記第２の開口に、上記拡散具（Ａ）の吸い上げ棒を差し込んで保持するようになっている請求項１記載のフレグランス容器。
【請求項３】
上記拡散具（Ａ）の吸い上げ棒が、ポリアセタールコポリマーの筒状成形体からなり、同じくその多孔質体が、ポリエチレン焼結体の略球状成形体からなるものである請求項１または２記載のフレグランス容器。
【請求項４】
毛細管現象により液体フレグランスを下端から上端まで吸い上げることのできる通液路が形成された吸い上げ棒と、上記吸い上げ棒の上端に取り付けられる多孔質体とを備え、上記吸い上げ棒の下端を液体フレグランスに接触させることにより、吸い上げ棒の上端まで液体フレグランスを吸い上げて上記多孔質体から周囲に徐々に揮散させることができるようになっていることを特徴とする拡散具。
【請求項５】
上記吸い上げ棒が、ポリアセタールコポリマーの筒状成形体からなり、上記多孔質体が、ポリエチレン焼結体の略球状成形体からなるものである請求項４記載の拡散具。
【発明の詳細な説明】
【０００１】
【発明の属する技術分野】
本発明は、アロマオイル等の液体フレグランスを収容するフレグランス容器およびそれに用いることのできる拡散具に関するものである。
【０００２】
【従来の技術】
従来から、肌や衣類に香水等をつけて、香りを装いの一部として楽しむことが行われているが、最近、アロマオイル等で肌をマッサージしたり、入浴剤として使用して心身をリラックスさせる等のアロマセラピー（芳香療法）が人気を博しており、家庭で、手軽に香りを楽しむ人が増えてきている。
【０００３】
【発明が解決しようとする課題】
このような香りを楽しむ製品としては、多種多様なものが出回っているが、ごく一般的なものとして、アロマオイル等の液体フレグランスをガラス製の小瓶に収容したものをあげることができる。上記瓶入りフレグランスは、中身である液体フレグランスを１、２滴、バスタブに垂らして入浴の間、香りを楽しんだり、アロマライト，アロマポット等のツールを利用して、長時間、ほのかな香りを楽しんだりすることに用いられている。また、上記のようなツールを用いなくても、液体フレグランスをティシュやハンカチに垂らし、部屋の隅やデスクの上に置いておくこともよく行われている。
【０００４】
しかしながら、ティシュやハンカチに垂らしただけのものは、液体フレグランスを垂らした直後はむせるような濃厚な香りが立ち込めるにもかかわらず、時間の経過とともに急激に香りが希薄になっていき、一定の濃度の香りを長時間持続させることができないという問題がある。
【０００５】
本発明は、このような事情に鑑みなされたもので、特殊なツール等を用いなくても、長時間、一定の濃度で液体フレグランスを揮散させて適度の香りを持続させることのできる、優れたフレグランス容器と、それに用いることのできる特殊な拡散具の提供をその目的とする。
【０００６】
【課題を解決するための手段】
上記の目的を達成するため、本発明は、内部に液体フレグランスが収容される容器本体と、上記容器本体の開口を蓋する蓋体と、下記の拡散具（Ａ）とを備え、上記蓋体を開き、上記拡散具（Ａ）の吸い上げ棒を容器本体の開口に差し込んで保持することにより、液体フレグランスを周囲に徐々に揮散させることができるようになっているフレグランス容器を第１の要旨とする。
（Ａ）毛細管現象により液体フレグランスを下端から上端まで吸い上げることのできる通液路が形成された吸い上げ棒と、上記吸い上げ棒の上端に取り付けられる多孔質体とを備え、上記吸い上げ棒から吸い上げられた液体フレグランスが、上記多孔質体から、周囲に徐々に揮散されるようになっている拡散具。
【０００７】
また、本発明は、上記フレグランス容器容器のなかでも、特に、上記容器本体の開口として、内部に収容した液体フレグランスを注出するための第１の開口と、液体フレグランス注出時の通気のための第２の開口とが設けられており、上記第２の開口に、上記拡散具（Ａ）の吸い上げ棒を差し込んで保持するようになっているフレグランス容器を第２の要旨とし、上記拡散具（Ａ）の吸い上げ棒が、ポリアセタールコポリマーの筒状成形体からなり、同じくその多孔質体が、ポリエチレン焼結体の略球状成形体からなるものであるフレグランス容器を第３の要旨とする。
【０００８】
さらに、本発明は、毛細管現象により液体フレグランスを下端から上端まで吸い上げることのできる通液路が形成された吸い上げ棒と、上記吸い上げ棒の上端に取り付けられる多孔質体とを備え、上記吸い上げ棒の下端を液体フレグランスに接触させることにより、吸い上げ棒の上端まで吸い上げて上記多孔質体から周囲に徐々に揮散させることができるようになっている拡散具を第４の要旨とする。
【０００９】
そして、本発明は、上記拡散具のなかでも、特に、上記吸い上げ棒が、ポリアセタールコポリマーの筒状成形体からなり、上記多孔質体が、ポリエチレン焼結体の略球状成形体からなるものである拡散具を第５の要旨とする。
【００１０】
【発明の実施の形態】
つぎに、本発明の実施の形態について説明する。
【００１１】
図１は、本発明のフレグランス容器の一実施の形態を示している。このフレグランス容器は、内部にアロマオイルが収容されるガラス製の容器本体１と、上記容器本体１の首部にら合して、首部に形成された開口を蓋するプラスチック製の蓋体２と、特殊な拡散具Ａとで構成されている。そして、上記容器本体１に蓋体２をら合した状態では、全体が略円錐状となるようデザインされている。
【００１２】
そして、上記蓋体２の頂部には、平面視長丸状の板状体３が、側方に偏った状態で水平に取り付けられており、その上面に、「火」の文字４が表示されている。これは、このフレグランス容器が、陰陽五行説の考え方にもとづき考案された、「木」、「火」、「土」、「金」、「水」のそれぞれに適した香りのブレンドからなる５種類のアロマオイルのうち、「火」に該当するアロマオイルを収容するものであることを示している。ちなみに、上記一連のアロマオイルの販売のために、板状体３に表示される文字４がそれぞれ「木」、「土」、「金」、「水」の容器が、図１に示す容器とともに用意されている。
【００１３】
なお、この略円錐状の蓋体２を周方向にねじって開く場合、上記板状体３に指をかければ、指がすべることなく蓋体２を開くことができるという利点を有する。また、容器本体１から外した蓋体２を、図４に示すように、上下逆にした状態で、安定的に水平面に置くことができる。さらに、蓋体２を横に倒して置いた場合も、上記板状体３の突出部が邪魔になるため、蓋体２が転がることがない。
【００１４】
一方、容器本体１の首部５には、図２（ａ）に示すように、蓋体２の内側に形成された雌ねじ部とら合する雄ねじ部６が形成され、その内側の開口に、同図（ｂ）に示すようなプラスチック製の中栓７が嵌入されている。
【００１５】
上記中栓７は、図３（ａ），（ｂ）に示すように、容器本体１の開口に係合するフランジ部８と、凹状のボス部９とを備え、上記ボス部９の底面中央に、アロマオイル注出用の第１の開口１０が形成されている。この第１の開口１０の周囲には、上向きに注出ノズル１１が形成されている。また、上記ボス部９の中央から外れた１個所に、アロマオイル注出時の通気のための第２の開口１２が形成されており、この第２の開口１２の縁部から下向きに、通気管１３が形成されている。
【００１６】
また、拡散具Ａは、図５（ａ）に示すように、毛細管現象によってアロマオイルを下端から上端まで吸い上げるよう構成された非常に細い管からなる吸い上げ棒１５と、この吸い上げ棒１５の上端に取り付けられる略球状の多孔質体１６とを備えている。
【００１７】
上記吸い上げ棒１５には、ポリアセタール（ＰＯＭ）コポリマー製の、直径が１．１ｍｍの正六角柱棒が用いられており、内側に、図５（ｂ）に示すように、６つの通液路となる中空部１７が形成されている。なお、中空部１７の形成加工時に、正六角柱の各角部が外側に膨出するため、正六角柱棒の外周面には、各角部に、長手方向に延びる凸条１８が形成されている。したがって、これらの凸条１８が、リブの役割を果たし、吸い上げ棒１５が細くても折れにくいものとなっている。
【００１８】
また、上記吸い上げ棒１５に取り付けられる多孔質体１６には、ポリエチレン焼結体製の、直径８ｍｍの球状体が用いられており、その一部が平面２０に形成されている。そして、上記平面２０の中央に、上記吸い上げ棒１５の上端部を差し込んで保持するための細穴２１が穿設されている。上記ポリエチレン焼結体は、連続気泡が高密度で形成された多孔質体であり、上記吸い上げ棒１５によって吸い上げられたアロマオイルが、上記連続気泡を通って、徐々に多孔質体１６の表面に移動し、表面から大気中に揮散するようになっている。
【００１９】
したがって、上記拡散具Ａを、図６に示すように、容器本体１の中栓７における第２の開口１２（図３［ｂ］参照）に差し込むと、拡散具Ａの吸い上げ棒１５から、毛細管現象により、中の液体フレグランスが吸い上げられ、多孔質体１６の内部を通過して、その表面から大気に揮散される。上記吸い上げ動作は、ごく微量ずつ定量的に行われるため、ほのかな香りが、一定の強さで持続される。
【００２０】
このように、上記フレグランス容器によれば、蓋体２を外して、所定の開口１２に拡散具Ａを差し込むという簡単な動作だけで、ほのかな香りを、一定の強さで持続させることができる。したがって、従来のように、アロマライトやアロマポットといった特殊なツールを用いる必要がなく、手軽に好きな場所でアロマオイルの香りを楽しむことができる。
【００２１】
なお、本発明において、液体フレグランスを収容する容器本体１および蓋体２の構成は、上記の例に限らず、どのような構成のものであっても差し支えない。ただし、拡散具Ａの吸い上げ棒１５を差し込むための開口が少なくとも必要である。この開口としては、上記のように、通気用の第２の開口１２を利用してもよいし、第１の開口１０を利用してもよい。
【００２２】
また、拡散具Ａにおいて、吸い上げ棒１５の材質は、上記の例に限らず、適宜のものを用いることができるが、アロマオイル等と長時間接触しても変質することがなく、微細な成形加工に耐えうるものとして、上記ポリアセタールコポリマーが好適である。そして、その形状も、特に限定するものではないが、少なくとも吸い上げ棒１５の外径は、上記容器本体１の開口に差し込むことができる寸法に設定されていなければならない。そして、その内側に形成される通液路となる中空部も、毛細管現象により液体フレグランスを吸い上げることができる程度の寸法に設定されていなければならない。これらの寸法は、容器本体１の開口形状、液体フレグランスの粘性等を考慮して、適宜設定される。
【００２３】
一方、拡散具Ａの多孔質体１６の材質も、上記の例に限らず、適宜のものを用いることができるが、通液・通気路となる微細な連続気泡を有し、かつアロマオイル等と長時間接触しても変質することがないものとして、上記焼結ポリエチレンが好適である。なお、繊維材を一定形状に圧縮したものや、綿棒の頭のように繊維を塊にしたもの等を用いることもできる。また、スポンジ等の発泡体を用いることもできる。形状は、周面から徐々に揮散が進行するよう、ある程度の表面積を有するものであることが望ましい。
【００２４】
なお、本発明において、上記拡散具Ａは、必ずしも容器本体１および蓋体２とセットで販売する必要はなく、拡散具Ａのみを、例えば６本組等のセットにして、容器本体１および蓋体２からなるフレグランス容器とは別売りにしてもよい。
【００２５】
【発明の効果】
以上のように、本発明のフレグランス容器は、蓋体を外して、所定の開口に拡散具を差し込むという簡単な動作だけで、ほのかな香りを、一定の強さで持続させることができる。したがって、従来のように、アロマライトやアロマポットといった特殊なツールを用いる必要がなく、手軽に好きな場所で液体フレグランスの香りを楽しむことができる。また、本発明の拡散具によれば、上記フレグランス容器の形態にかかわらず、ほのかな香りを、手軽に、持続的に楽しむことができる。
【図面の簡単な説明】
【図１】本発明の一実施例を示す外観斜視図である。
【図２】（ａ）は上記実施例において、蓋体を外した状態を示す斜視図、（ｂ）は、上記実施例に用いられる中栓の説明図である。
【図３】（ａ）は上記中栓の平面図、（ｂ）は上記中栓の縦断面図である。
【図４】上記実施例の蓋体を上下逆にして水平面に置いた状態を示す説明図である。
【図５】（ａ）は上記実施例に用いる拡散具を示す説明図、（ｂ）は上記拡散具の吸い上げ棒の横断面図である。
【図６】上記実施例の使用態様の一例を示す説明図である。
【符号の説明】
１　容器本体
２　蓋体
１５　吸い上げ棒
１６　多孔質体
Ａ　拡散具
【図１】
2004073733.tif 000003
【図２】
2004073733.tif 000004
【図３】
2004073733.tif 000005
【図４】
2004073733.tif 000006
【図５】
2004073733.tif 000007
【図６】
2004073733.tif 000008